(57)【要約】【課題】  大柄な体格の乗員の背中をうまく保持できるようにする。【解決手段】  乗員の背部を後方から保持するためのメイン部４と、このメイン部４の両側部に設けられて乗員の背部を左右方向に保持するための土手部６とを有し、土手部６がメイン部４に対して前方に張出されている車両用シートバック構造であって、土手部６の肩甲骨当接部位１１の外側に、肩甲骨当接部位１１の独立変形を可能とする変形補助溝１２を設けるようにしている。【選択図】        図１
2005253833.tif 000002
【特許請求の範囲】
【請求項１】
乗員の背部を後方から保持するためのメイン部と、このメイン部の両側部に設けられて乗員の背部を左右方向に保持するための土手部とを有し、該土手部が前記メイン部に対して前方に張出されている車両用シートバック構造において、
前記土手部の肩甲骨当接部位の外側に、肩甲骨当接部位の独立変形を可能とする変形補助溝を設けたことを特徴とする車両用シートバック構造。
【請求項２】
前記変形補助溝が、肩甲骨当接部位を包囲する正面視コ字状をしていることを特徴とする請求項１記載の車両用シートバック構造。
【請求項３】
前記変形補助溝が、肩甲骨当接部位を包囲する正面視半円弧状をしていることを特徴とする請求項１記載の車両用シートバック構造。
【請求項４】
前記変形補助溝の両端部を、メイン部と土手部の境界部分に設けられる縦溝に接続したことを特徴とする請求項１ないし３のいずれか１項に記載の車両用シートバック構造。
【請求項５】
前記縦溝が、表皮固定用縦溝であることを特徴とする請求項４記載の車両用シートバック構造。
【発明の詳細な説明】
【技術分野】
【０００１】
この発明は、車両用シートバック構造に関するものである。
【背景技術】
【０００２】
自動車などの車両には、車室内に乗員が着座するためのシートが設けられている。このようなシートは、乗員の腰部を下方から支持するシートクッションと、乗員の背部を後方から支持するシートバックとを備えている。そして、シートバックは、シートクッションパッドをシートフレームで保持し表皮で覆った構造を備えている。このうちシートクッションパッドは、乗員の背部を後方から保持するためのメイン部と、このメイン部の両側部に設けられて乗員の背部を左右方向に保持するための土手部とを有している。土手部はメイン部に対して前方に張出されている（例えば、特許文献１参照）。
【特許文献１】実開平７−２０８９３号公報
【発明の開示】
【発明が解決しようとする課題】
【０００３】
しかしながら、上記車両用シートバック構造では、シートクッションパッドは、メイン部に対して前方に張出された土手部を有しているため、想定よりも大柄な体格の乗員が座った場合に、背中の一部（肩甲骨）が土手部に乗り上げてしまい、背中がうまく保持されないという問題や、違和感が生じるという問題があった。
【課題を解決するための手段】
【０００４】
上記課題を解決するために、この発明では、乗員の背部を後方から保持するためのメイン部と、このメイン部の両側部に設けられて乗員の背部を左右方向に保持するための土手部とを有し、該土手部が前記メイン部に対して前方に張出されている車両用シートバック構造において、前記土手部の肩甲骨当接部位の外側に、肩甲骨当接部位の独立変形を可能とする変形補助溝を設けた車両用シートバック構造を特徴としている。
【発明の効果】
【０００５】
この発明によれば、土手部の肩甲骨当接部位の外側に設けた変形補助溝により、肩甲骨当接部位が他の部分から独立変形されるようになるので、乗員の肩甲骨を独立変形した部分に入り込ませることができ、以て、大柄な体格の乗員の背中の一部（肩甲骨）が土手部に乗り上げて背中がうまく保持されないという問題や、違和感を感じるという問題を解消することができる。
【発明を実施するための最良の形態】
【０００６】
大柄な体格の乗員の背中をうまく保持できるようにするという目的を、土手部の肩甲骨当接部位の外側に、肩甲骨当接部位の独立変形を可能とする変形補助溝を設ける、という手段で実現した。
【実施例】
【０００７】
以下、本発明を具体化した実施例について、図示例と共に説明する。
【０００８】
図１〜図７は、この発明の実施例を示すものである。
【０００９】
まず、構成を説明すると、自動車などの車両には、車室内にシートが設けられている。このようなシートは、乗員の腰部を下方から支持するシートクッションと、図１、図２に示すような、乗員の背部を後方から支持するシートバック１とを備えている。そして、シートバック１は、シートクッションパッド２をシートフレームで保持し、表皮で覆った構造を備えている。このうちシートクッションパッド２は、乗員の背部を後方から保持するためのメイン部４と、このメイン部４の両側部に設けられて乗員の背部を左右方向に保持するための土手部６とを有している。土手部６はメイン部４に対して前方に張出されている。メイン部４と土手部６の境界部分には、縦溝が設けられている。この縦溝は、この実施例では表皮固定用縦溝７としての機能を有している。
【００１０】
この実施例のものでは、土手部６の肩甲骨当接部位１１の外側に、肩甲骨当接部位１１の独立変形を可能とする変形補助溝１２を設ける。
【００１１】
この変形補助溝１２は、例えば、図３に示すように、表皮固定用縦溝７と平行な短い縦溝１２ａとしても良い。
【００１２】
また、変形補助溝１２は、例えば、図４に示すように、肩甲骨当接部位１１を包囲する正面視略コ字状の溝１２ｂとしても良い。
【００１３】
或いは、変形補助溝１２は、例えば、図５に示すように、肩甲骨当接部位１１を包囲する正面視略半円弧状の溝１２ｃとしても良い。
【００１４】
特に、変形補助溝１２は、図１に示すように、両端部を、メイン部４と土手部６の境界部分に設けられる縦溝に接続するのが好ましい。
【００１５】
この縦溝は、用途や機能に応じて適宜形成され得るものであり、変形補助溝１２は、いずれの縦溝に対して接続することも可能である。なお、この実施例では、縦溝は表皮固定用縦溝７としての機能を有するものとされている。
【００１６】
この際、成人男女の肩甲骨１５の高さは、ヒップポイントからトルソー沿いに３００ｍｍ〜５００ｍｍに位置するので、変形補助溝１２の位置は、「ヒップポイントからトルソー沿いに３００ｍｍ〜５００ｍｍ」の範囲に設けるのが最良である。
【００１７】
特に、背丈の大きな人程、一般に体格が良いので、変形補助溝１２は、少なくとも「ヒップポイントからトルソー沿いに４００ｍｍ〜５００ｍｍ」の範囲に設けておけば、充分効果が得られる。
【００１８】
次に、この実施例の作用について説明する。
【００１９】
土手部６の肩甲骨当接部位１１の外側に設けた変形補助溝１２により、肩甲骨当接部位１１が他の部分から独立変形されるようになるので、図６、図７に示すように、乗員の肩甲骨１５を独立変形した部分に入り込ませることができ、以て、大柄な体格の乗員の背中の一部（肩甲骨１５）が土手部６に乗り上げて背中がうまく保持されないという問題や、違和感を感じるという問題を解消することができる。
【００２０】
この変形補助溝１２は、例えば、図３に示すように、表皮固定用縦溝７と平行な短い縦溝１２ａとしても有効である。
【００２１】
また、変形補助溝１２は、図４に示すように、肩甲骨当接部位１１を包囲する正面視略コ字状としても有効である。
【００２２】
変形補助溝１２は、図５に示すように、肩甲骨当接部位１１を包囲する正面視略半円弧状としても有効である。
【００２３】
そして、変形補助溝１２の両端部を、図１に示すように、メイン部４と土手部６の境界部分に設けられる縦溝に接続することにより、肩甲骨当接部位１１をより無理なくスムーズに独立変形させることが可能となり、座り心地を向上することができる。
【００２４】
上記縦溝には、用途や機能に応じて適宜形成されたものを利用することができるが、表皮固定用縦溝７としての機能を有する縦溝を利用するのがレイアウト上は最適である。
【００２５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２６】
【図１】本発明の実施例の斜視図である。
【図２】図１のＡ−Ａ矢視方向の断面図である。
【図３】変形補助溝の一例を示す平面図である。
【図４】変形補助溝の別の例を示す平面図である。
【図５】変形補助溝の他の例を示す平面図である。
【図６】図１と同様の作動図である。
【図７】図２と同様の作動図である。
【符号の説明】
【００２７】
４    メイン部
６    土手部
７    表皮固定用縦溝（縦溝）
１１  肩甲骨当接部位
１２  変形補助溝
【図１】
2005253833.tif 000003
【図２】
2005253833.tif 000004
【図３】
2005253833.tif 000005
【図４】
2005253833.tif 000006
【図５】
2005253833.tif 000007
【図６】
2005253833.tif 000008
【図７】
2005253833.tif 000009